(57)【要約】【課題】無線通信に対応しない古いタイプの音響機器に適用することができ、且つ使用利便性も向上される音声送受信装置の提供。【解決手段】マルチメディア装置１からソース音声データをワイヤレス受信でき、且つＵＳＢインターフェイス３１により音声再生装置２に接続できる音声送受信装置３であって、仮想ＵＳＢストレージ装置として音声再生装置２に認識させると共に、該仮想ＵＳＢストレージ装置に記録されて音声再生装置２が読み取ることができる仮想音声ファイルを生成する上、音声再生装置２が前記仮想音声ファイルを読み取る際に送信するファイルセグメント要請に応じて、前記ソース音声データから変換されて音声再生装置２がサポートできる音声ファイルフォーマットデータから対応の音声ファイルセグメントデータを生成して音声再生装置２に送信するプロセッサユニット３４を具えた音声送受信装置。【選択図】図１
2016024817.tif 000002
【特許請求の範囲】
【請求項１】
マルチメディア装置からソース音声データをワイヤレス受信して該ソース音声データに対応する再生可能音声データを音声再生装置に提供する音声送受信装置であって、
前記マルチメディア装置とワイヤレス電気接続を構築して該マルチメディア装置から前記ソース音声データを受信できるように構成されたブルートゥース（登録商標）通信インターフェイスと、
前記音声再生装置と電気的に接続して該音声再生装置からファイルセグメント要請を受信できるように構成されたＵＳＢインターフェイスと、
前記ブルートゥース（登録商標）通信インターフェイスと電気的に接続して該ブルートゥース（登録商標）通信インターフェイスからソース音声データを受信して該ソース音声データをデコードしてスタンダード音声データを生成するデコーディングユニットと、
前記デコーディングユニットと電気的に接続して該デコーディングユニットから前記スタンダード音声データを受信して該スタンダード音声データをエンコードして、前記音声再生装置がサポートできる音声ファイルフォーマットデータを生成するエンコーディングユニットと、
該音声送受信装置を前記音声再生装置が認識できる仮想ＵＳＢストレージ装置として前記音声再生装置に認識させると共に、前記仮想ＵＳＢストレージ装置に記録されて前記音声再生装置が読み取ることができる仮想音声ファイルを生成する上、前記エンコーディングユニットと前記ＵＳＢインターフェイスとに電気的に接続して前記エンコーディングユニット及び前記ＵＳＢインターフェイスから前記音声ファイルフォーマットデータ及び前記音声再生装置が前記仮想音声ファイルを読み取ろうとする際に送信する前記ファイルセグメント要請をそれぞれ受信することができ、且つ、前記ファイルセグメント要請に応じて前記音声ファイルフォーマットデータから前記音声再生装置がサポートできる音声ファイルセグメントデータを生成し、前記音声ファイルセグメントデータを前記音声再生装置により送信された前記ファイルセグメント要請に対応する再生可能音声データとして前記ＵＳＢインターフェイスを経由して前記音声再生装置に送信するプロセッサユニットとを具えていることを特徴とする音声送受信装置。
【請求項２】
前記ブルートゥース（登録商標）通信インターフェイスは、ブルートゥース（登録商標）規格のＡ２ＤＰ(Advanced Audio Distribution Profile)に対応し、前記ソース音声データはサブバンド符号化（sub-band coding）によりエンコードされたものであり、前記スタンダード音声データはパルス符号変調（pulse-code modulation）データであり、前記エンコーディングユニットは前記パルス符号変調データをＭＰ３、ＷＭＡ、またはＷＡＶのいずれかの符号化形式に対応する音声ファイルフォーマットデータにエンコードすることを特徴とする請求項１に記載の音声送受信装置。
【請求項３】
前記ＵＳＢインターフェイスを経由して前記音声再生装置からファイルセグメント要請を受信する際、前記ブルートゥース（登録商標）通信インターフェイスが未だに前記ソース音声データを受信していない場合、前記エンコーディングユニットは無音音声ファイルフォーマットデータを前記プロセッサユニットに出力することを特徴とする請求項１に記載の音声送受信装置。
【請求項４】
前記ＵＳＢインターフェイスを経由してファイルセグメント要請を未だに受信していない時、前記プロセッサユニットは前記エンコーディングユニットから出力されてきた音声ファイルフォーマットデータを破棄することを特徴とする請求項１に記載の音声送受信装置。
【発明の詳細な説明】
【技術分野】
【０００１】
本発明は、音声送受信装置に関し、特に無線通信に対応しない古いタイプの音響機器に適用することができる音声送受信装置に関する。
【背景技術】
【０００２】
スマートフォンやＭＰ３、ＭＰ４プレイヤーなどの手持ちマルチメディア装置は、記憶容量が大きい上に、ワイヤレス音声転送機能を有するので、ますます普及している。また、特許文献１に記載されているように、無線通信リンクを通してオーディオ実行ファイルをデバイスにダウンロードするように構成されたダウンローダを備えた装置も提案されている。
【０００３】
しかし、手持ちタイプではない自動車用または家庭用の音響機器では、無線通信に対応する機能を有するものはいまだに普及しておらず、そしてこのような古いタイプの音響機器に無線通信を対応させるために手持ちマルチメディア装置を音響機器に有線接続すると、手持ちマルチメディア装置特有の利便性が損なわれてしまう。
【０００４】
一方、フォーンプラグに接続できるワイヤレス受信装置も市販されているが、それらはいずれも独立した電池が必要であるため、全体のサイズが大きく、そして電池の寿命が切れたら使えなくなってしまう欠点もある。更に、ワイヤレス受信装置が受信したデジタル信号をフォーンプラグに使用されるアナログ信号に変換し、フォーンプラグを経由して更に音響機器に出力する場合、複数回のデジタル／アナログ変換により音質が下がってしまう欠点もある。
【先行技術文献】
【特許文献】
【０００５】
【特許文献１】特表２０１２‐５１６５０６号明細書
【発明の概要】
【発明が解決しようとする課題】
【０００６】
本発明は上記問題点に鑑みて、無線通信に対応しない古いタイプの音響機器に適用することができ、且つ使用利便性も向上される音声送受信装置の提供を目的とする。
【課題を解決するための手段】
【０００７】
上記目的を達成する手段として、本発明は、マルチメディア装置からソース音声データをワイヤレス受信して該ソース音声データに対応する再生可能音声データを音声再生装置に提供する音声送受信装置であって、前記マルチメディア装置とワイヤレス電気接続を構築して該マルチメディア装置から前記ソース音声データを受信できるように構成されたブルートゥース（登録商標）通信インターフェイスと、前記音声再生装置と電気的に接続して該音声再生装置からファイルセグメント要請を受信できるように構成されたＵＳＢインターフェイスと、前記ブルートゥース（登録商標）通信インターフェイスと電気的に接続して該ブルートゥース（登録商標）通信インターフェイスからソース音声データを受信して該ソース音声データをデコードしてスタンダード音声データを生成するデコーディングユニットと、前記デコーディングユニットと電気的に接続して該デコーディングユニットから前記スタンダード音声データを受信して該スタンダード音声データをエンコードして、前記音声再生装置がサポートできる音声ファイルフォーマットデータを生成するエンコーディングユニットと、該音声送受信装置を前記音声再生装置が認識できる仮想ＵＳＢストレージ装置として前記音声再生装置に認識させると共に、前記仮想ＵＳＢストレージ装置に記録されて前記音声再生装置が読み取ることができる仮想音声ファイルを生成する上、前記エンコーディングユニットと前記ＵＳＢインターフェイスとに電気的に接続して前記エンコーディングユニット及び前記ＵＳＢインターフェイスから前記音声ファイルフォーマットデータ及び前記音声再生装置が前記仮想音声ファイルを読み取ろうとする際に送信する前記ファイルセグメント要請をそれぞれ受信することができ、且つ、前記ファイルセグメント要請に応じて前記音声ファイルフォーマットデータから前記音声再生装置がサポートできる音声ファイルセグメントデータを生成し、前記音声ファイルセグメントデータを前記音声再生装置により送信された前記ファイルセグメント要請に対応する再生可能音声データとして前記ＵＳＢインターフェイスを経由して前記音声再生装置に送信するプロセッサユニットとを具えていることを特徴とする音声送受信装置を提供する。
【発明の効果】
【０００８】
上記構成によれば、本発明の音声送受信装置は、ブルートゥース（登録商標）通信インターフェイスを経由してマルチメディア装置からソース音声データを受信し、デコーディングユニット及びエンコーディングユニットで該ソース音声データを音声再生装置がサポートできる音声ファイルフォーマットデータに変換することができると共に、自身を音声再生装置が認識できる仮想ＵＳＢストレージ装置に擬装して音声再生装置に認識させ、接続する音声再生装置がその仮想ＵＳＢストレージ装置内に記録される仮想音声ファイルを読み取ろうとする際に送信するファイルセグメント要請に応じて、変換した前記音声ファイルフォーマットデータから対応の音声ファイルセグメントデータを生成して、そのファイルセグメント要請に対応する再生可能音声データとして音声再生装置に送信することができるように構成されているので、音声再生装置は無線通信に対応しなくても、本発明の音声送受信装置の仲介によって、実際のＵＳＢストレージ装置から音声ファイルを再生するように、例えばスマートフォン、音楽／ビデオプレイヤー、ノートパソコン、タブレットコンピュータ、デスクトップコンピュータなど記憶容量の大きいマルチメディア装置から音声データを無線的に受け取って再生することができる。
【０００９】
従って、本発明の音声送受信装置を利用することにより、手持ちマルチメディア装置特有の利便性が損なわれずに手持ちマルチメディア装置からソース音声データを無線的に受信して無線通信に対応しない音声再生装置に提供することができると共に、ＵＳＢインターフェイスで音声再生装置と接続して該音声再生装置から作動に必要な電力供給を受けることができるため、独立した電池を必要とせず全体のサイズをいわゆるＵＳＢメモリぐらいに小型化することもできる。更に、マルチメディア装置から提供されるソース音声データが音声再生装置により再生されるまでアナログ信号に変換されることなく全てデジタル信号のままで変換されるので、音質が下がる恐れもなくなる。
【図面の簡単な説明】
【００１０】
【図１】本発明の音声送受信装置の構成が示されるブロック図である。
【発明を実施するための形態】
【００１１】
以下は図面を用いて本発明に係る音声送受信装置の好ましい実施形態について詳しく説明する。
【００１２】
図１に示されているように、本発明の音声送受信装置３は再生可能音声データを音声再生装置２に提供するものである。音声再生装置２に提供される再生可能音声データは、本発明の音声送受信装置３がマルチメディア装置１からワイヤレス受信するソース音声データに対応するものであり、本発明の音声送受信装置３は、マルチメディア装置１からソース音声データを受信して音声再生装置２により再生できる再生可能音声データに変換して音声再生装置２に提供する。
【００１３】
本発明の音声送受信装置３を適用できる音声再生装置２としては、ＵＳＢストレージ装置と接続するＵＳＢインターフェイス（ＵＳＢホスト）を有し、且つ該ＵＳＢインターフェイスに接続されるＵＳＢストレージ装置にアクセスして該ＵＳＢストレージ装置の記録空間内に記録されている再生可能音声ファイル（例えばＷＭＡ、ＭＰ３、ＷＡＶなどの拡張子を持つファイル）を認識し、これを読み取って再生することができる自動車用または家庭用の音響機器が挙げられる。
【００１４】
本発明の音声送受信装置３を適用できるマルチメディア装置１としては、ブルートゥース（登録商標）通信機能を持つ、またはブルートゥース（登録商標）送信器と接続できる装置であり、例えばスマートフォン、音楽／ビデオプレイヤー、ノートパソコン、タブレットコンピュータ、デスクトップコンピュータなどが挙げられる。
【００１５】
本発明の音声送受信装置３は、マルチメディア装置１とワイヤレス電気接続を構築することができるブルートゥース（登録商標）通信インターフェイス３１と、ブルートゥース（登録商標）通信インターフェイス３１と電気的に接続しているデコーディングユニット３２と、デコーディングユニット３２と電気的に接続しているエンコーディングユニット３３と、エンコーディングユニット３３と電気的に接続しているプロセッサユニット３４と、プロセッサユニット３４と電気的に接続しているＵＳＢインターフェイス３５とを具えている。
【００１６】
音声送受信装置３が具えているＵＳＢインターフェイス３５は、音声再生装置２が有するＵＳＢインターフェイスに挿し込んで接続することができるＵＳＢコネクタとして構成されている。
【００１７】
この実施形態において、マルチメディア装置１及び本発明の音声送受信装置３が有するブルートゥース（登録商標）通信インターフェイス３１はいずれもブルートゥース（登録商標）規格のＡ２ＤＰ(Advanced Audio Distribution Profile)に対応し、高音質のステレオ音声データを転送することができる。また、マルチメディア装置１により本発明の音声送受信装置３に転送されるステレオ音声データは、サブバンド符号化（sub-band coding）によりエンコードされたデータ(本説明にてソース音声データと呼称)であり、マルチメディア装置１と本発明の音声送受信装置３が有するブルートゥース（登録商標）通信インターフェイス３１との間のワイヤレス電気接続（ブルートゥース（登録商標）通信）が構築されると、サブバンド符号化（sub-band coding）によりエンコードされたソース音声データはＡ２ＤＰプロファイルによってブルートゥース（登録商標）通信インターフェイス３１に転送される。
【００１８】
ブルートゥース（登録商標）通信インターフェイス３１は、マルチメディア装置１から受信したソース音声データをデコーディングユニット３２に出力する。デコーディングユニット３２はソース音声データを例えばパルス符号変調（pulse-code modulation）データにデコードし、生成したデータをスタンダード音声データとしてエンコーディングユニット３３に出力する。エンコーディングユニット３３はデコーディングユニット３２から受け取ったスタンダード音声データをパルス符号変調データから音声再生装置２がサポートできる例えばＭＰ３、ＷＭＡ、またはＷＡＶなどの符号化形式にエンコードして対応する音声ファイルフォーマットデータを生成する。
【００１９】
プロセッサユニット３４は、本発明の音声送受信装置３におけるＵＳＢインターフェイス３５が音声再生装置２が有するＵＳＢインターフェイスに挿し込まれて接続する際、該音声送受信装置３を音声再生装置２が認識できる仮想ＵＳＢストレージ装置として音声再生装置２に認識させると共に、前記仮想ＵＳＢストレージ装置に記録されて音声再生装置２が読み取ることができる例えばＭＰ３、ＷＭＡ、またはＷＡＶといった拡張子を持つ仮想音声ファイルを生成する。音声再生装置２により認識される仮想ＵＳＢストレージ装置の容量や、仮想音声ファイルのサイズ、ヘッダなどはプロセッサユニット３４により定められる。これにより、本発明の音声送受信装置３のＵＳＢインターフェイス３５が音声再生装置２が有するＵＳＢインターフェイスに挿し込まれて音声再生装置２が有するＵＳＢインターフェイス（ＵＳＢホスト）から提供される電力で作動すると、音声再生装置２は本発明の音声送受信装置３を該音声再生装置２が再生できる（仮想の）音声ファイルが記録されているＵＳＢストレージ装置として認識するようになる。
【００２０】
従って、音声再生装置２が上記仮想ＵＳＢストレージ装置内に記録されている仮想音声ファイルを再生（デコード）するため該仮想音声ファイルを読み取ろうとする際（例えば使用者が音声再生装置２の再生ボタンを押す際）に、該仮想ＵＳＢストレージ装置、即ち本発明の音声送受信装置３に対して一連のファイルセグメント要請を送信すると、本発明の音声送受信装置３のプロセッサユニット３４は各ファイルセグメント要請に応じて、エンコーディングユニット３３により生成された音声ファイルフォーマットデータから音声再生装置２がサポートでき、且つ対応のファイルセグメント要請において決められたブロック数を有する音声ファイルセグメントデータを生成する。例えば、音声再生装置２からのファイルセグメント要請において一ブロック５１２バイトのデータを１２５ブロック要請する場合、プロセッサユニット３４はその要請に応じて、併せて６４キロバイト（５１２バイト×１２５）の音声ファイルセグメントデータを生成する。
【００２１】
また、音声再生装置２からファイルセグメント要請を受信する際、プロセッサユニット３４がエンコーディングユニット３３から（ブルートゥース（登録商標）通信インターフェイス３１がマルチメディア装置１から受信したソース音声データがデコーディングユニット３２及びエンコーディングユニット３３に処理されて生成された）音声ファイルフォーマットデータを受信している場合、プロセッサユニット３４は、音声再生装置２からのファイルセグメント要請に応じて、エンコーディングユニット３３より送られてきた音声ファイルフォーマットデータからファイルセグメント要請において決められたブロック数を有する音声ファイルセグメントデータを生成し、音声再生装置２からの前記ファイルセグメント要請に対応する再生可能音声データとしてＵＳＢインターフェイス３５を経由して音声再生装置２に送信する。そして音声再生装置２から送られてきた一連のファイルセグメント要請に対しても、プロセッサユニット３４は、エンコーディングユニット３３より送られてきた音声ファイルフォーマットデータから各ファイルセグメント要請においてそれぞれ決められたブロック数を有する音声ファイルセグメントデータを一連に生成して音声再生装置２に送信する。これによって、音声再生装置２は本発明の音声送受信装置３のプロセッサユニット３４により生成された一連の音声ファイルセグメントデータを連続に再生（デコード）することができるようになる。
【００２２】
一方、プロセッサユニット３４が音声再生装置２からファイルセグメント要請を受信する際、ブルートゥース（登録商標）通信インターフェイス３１が未だにマルチメディア装置１からソース音声データを受信していない時（例えば、マルチメディア装置１がデータを出力していない、または、マルチメディア装置１にあるポーズボタンが押されていてデータの出力を中止、あるいはマルチメディア装置１がスマートフォンで電話着信がある場合など）では、エンコーディングユニット３３は無音音声ファイルフォーマットデータをプロセッサユニット３４に出力し、プロセッサユニット３４を該無音音声ファイルフォーマットデータから無音の音声ファイルセグメントデータを生成し、音声再生装置２により送信されたファイルセグメント要請に対応する再生可能音声データとしてＵＳＢインターフェイス３５を経由して音声再生装置２に送信する。この構成により、音声再生装置２の再生中止を防止することができる。
【００２３】
更に、ブルートゥース（登録商標）通信インターフェイス３１がマルチメディア装置１からソース音声データを受信しているが、ＵＳＢインターフェイス３５を経由してファイルセグメント要請を未だに受信していない時（例えば音声再生装置２が再生を始めていない、または音声再生装置２の再生ボタンが押されていない、あるいは音声再生装置２にあるポーズボタンが押されていて再生が中止されている場合など）では、プロセッサユニット３４はエンコーディングユニット３３から出力されてきた音声ファイルフォーマットデータを破棄する。即ち、音声再生装置２とマルチメディア装置１とをシンクロさせるため、音声再生装置２からのファイルセグメント要請を受けていない限り、プロセッサユニット３４は音声ファイルフォーマットデータを破棄し続ける。
【００２４】
また、上記のように、本発明の音声送受信装置３は専用の電池がなくても、ＵＳＢインターフェイス３５を経由して音声再生装置２が有するＵＳＢインターフェイス（ＵＳＢホスト）から提供される電力で作動するように構成されることができるので、全体のサイズをいわゆるＵＳＢメモリのサイズぐらいに小型化することができると共に、電池の寿命に制限されることもない。
【００２５】
上記説明をまとめると、本発明の音声送受信装置３はブルートゥース（登録商標）通信インターフェイス３１を経由してマルチメディア装置１からソース音声データを受信し、デコーディングユニット３２及びエンコーディングユニット３３で該ソース音声データを音声再生装置２がサポートできる音声ファイルフォーマットデータに変換することができると共に、自身を音声再生装置２が認識できる仮想ＵＳＢストレージ装置に擬装して音声再生装置に認識させ、接続する音声再生装置２がその仮想ＵＳＢストレージ装置内に記録される仮想音声ファイルを読み取ろうとする際に送信するファイルセグメント要請に応じて、変換した前記音声ファイルフォーマットデータから対応の音声ファイルセグメントデータを生成して、そのファイルセグメント要請に対応する再生可能音声データとして音声再生装置２に送信することができるように構成されているので、音声再生装置２は無線通信に対応していなくても、本発明の音声送受信装置３の仲介によって、実際のＵＳＢストレージ装置から音声ファイルを再生するように、例えばスマートフォン、音楽／ビデオプレイヤー、ノートパソコン、タブレットコンピュータ、デスクトップコンピュータなど記憶容量の大きいマルチメディア装置１から音声データを無線的に受け取って再生することができる。
【００２６】
以上、本発明の好ましい実施形態を説明したが、本発明はこれに限定されるものではなく、その要旨を逸脱しない範囲で種々変更可能である。
【産業上の利用可能性】
【００２７】
上記説明のように、本発明は手持ちマルチメディア装置と無線通信に対応しない音声再生装置との間の仲介として、小型化しやすく、且つ手持ちマルチメディア装置からの音声データを高音質のまま音声再生装置に転送する音声送受信装置を提供することができる。
【符号の説明】
【００２８】
１    マルチメディア装置
２    音声再生装置
３    音声送受信装置
３１    ブルートゥース（登録商標）通信インターフェイス
３２    デコーディングユニット
３３    エンコーディングユニット
３４    プロセッサユニット
３５    ＵＳＢインターフェイス
【図１】
2016024817.tif 000003